(57)【特許請求の範囲】
【請求項１】
非接触ＩＣメディアと通信するためのアンテナを有し、アンテナ付近にかざされる非接触ＩＣメディアに対して情報の読み取りおよび書き込みを行う非接触ＩＣメディアリーダライタにおいて、
板状であって、いずれの面に対してかざされる非接触ＩＣメディアとも通信可能な単一の板状アンテナ部を有し、
前記板状アンテナ部は、一辺近傍を軸にして所定範囲で回動可能に配置され、前記非接触ＩＣメディアの形態に応じて前記所定範囲内で任意の位置に固定可能であることを特徴とする非接触ＩＣメディアリーダライタ。
【請求項２】
前記非接触ＩＣメディアは、カード型または腕時計型であることを特徴とする請求項１記載の非接触ＩＣメディアリーダライタ。
【発明の詳細な説明】
【０００１】
【発明の属する技術分野】
本発明は非接触ＩＣメディアリーダライタに関し、特にアンテナを介して非接触式でＩＣメディアと通信してＩＣメディアに対し情報の読み取りおよび書き込みを行う非接触ＩＣメディアリーダライタに関する。
【０００２】
【従来の技術】
各種レジャー施設や流通施設などには、ＩＣチップを媒体内部に備えたＩＣカードなどのＩＣメディアに記録されている情報を読み取ったり、ＩＣメディアに新たに情報を書き込んだりするためのＩＣメディアリーダライタが搭載された各種装置が設置されている。
【０００３】
近年では、このようなＩＣメディアリーダライタとして、ＩＣメディアとアンテナを介して非接触式で通信することによって、このＩＣメディアに対して情報の読み取りおよび書き込みを行う非接触ＩＣメディアリーダライタが普及してきている。
【０００４】
一般に、非接触ＩＣメディアリーダライタでは、利用者に利用される本体前面にアンテナを内蔵するアンテナ部が固定配置されている。利用者は、自己が所有する非接触ＩＣメディアをこのアンテナ部の表面付近にかざすことにより、非接触ＩＣメディアリーダライタにその非接触ＩＣメディアに対する情報の読み取りおよび書き込みを行わせる。
【０００５】
【発明が解決しようとする課題】
しかしながら、従来の非接触ＩＣメディアリーダライタにおいて、利用者は、本体前面に固定されているアンテナ部の表面に対向させるようにして非接触ＩＣメディアをかざさなければならないので、用いる非接触ＩＣメディアの形状およびそれをかざす向きが限定されてしまうという問題点があった。
【０００６】
利用者が非接触ＩＣメディアを取り出してあるいは身に付けている状態で円滑にかつ無理な姿勢をとることなく、非接触ＩＣメディアリーダライタを使用できるようにするためには、用いる非接触ＩＣメディアの形状は、実際上はカード型または腕時計型に限定されてしまう。そして、その形状によってかざす向きも限定されてくることになる。したがって、アンテナ部の表面に非接触ＩＣメディアが適切にかざされない場合には、非接触ＩＣメディアリーダライタとの間で通信できない場合があった。
【０００７】
本発明はこのような点に鑑みてなされたものであり、様々な方向からかざされてくる種々の形状の非接触ＩＣメディアに対して情報の読み取りおよび書き込みを行うことのできる非接触ＩＣメディアリーダライタを提供することを目的とする。
【０００８】
【課題を解決するための手段】
本発明では上記問題を解決するために、非接触ＩＣメディアと通信するためのアンテナを有し、アンテナ付近にかざされる非接触ＩＣメディアに対して情報の読み取りおよび書き込みを行う非接触ＩＣメディアリーダライタにおいて、板状であって、いずれの面に対してかざされる非接触ＩＣメディアとも通信可能な単一の板状アンテナ部を有し、前記板状アンテナ部は、一辺近傍を軸にして所定範囲で回動可能に配置され、前記非接触ＩＣメディアの形態に応じて前記所定範囲内で任意の位置に固定可能であることを特徴とする非接触ＩＣメディアリーダライタが提供される。
【０００９】
このような非接触ＩＣメディアリーダライタによれば、アンテナ部が板状に構成されることにより、その両面ともが非接触ＩＣメディアとの通信可能な領域となり、非接触ＩＣメディアが板状アンテナ部のいずれの面に対してかざされても、情報の読み取りおよび書き込みが行われる。また、板状アンテナ部が、所定範囲で回動可能になっており、非接触ＩＣメディアの形態に応じ、その所定範囲内で任意の位置に固定される。
【００１０】
【発明の実施の形態】
以下、本発明の実施の形態を図面を参照して説明する。
図１は非接触ＩＣメディアリーダライタの側面図、図２は非接触ＩＣメディアリーダライタの正面図、図３は非接触ＩＣメディアリーダライタの平面図である。
【００１１】
非接触ＩＣメディアリーダライタ１は、その本体２に、利用者によってかざされる非接触ＩＣメディアと通信することにより非接触ＩＣメディアに対して情報の読み取りおよび書き込みを行うためのアンテナを備える板状の板状アンテナ部３と、本体２の前面側で利用者が見やすい角度に配置されて非接触ＩＣメディアから読み取った情報あるいは非接触ＩＣメディアに書き込む情報を表示する表示部４とが備えられている。
【００１２】
非接触ＩＣメディアリーダライタ１の板状アンテナ部３は、略長方形の薄い板状に構成され、その一辺近傍で本体２の前面側に軸支され、これを軸にして回動できるようになっている。板状アンテナ部３にはストッパ機構が設けられていて、板状アンテナ部３の回動範囲が、それが非接触ＩＣメディアリーダライタ１の設置面に対して垂直方向から平行方向までの間に規制されるとともに、板状アンテナ部３を任意の角度で自由に固定できるようになっている。
【００１３】
本体２には、板状アンテナ部３のアンテナを介した通信を行うための回路が構成されたアンテナ基板が内蔵される。このアンテナ基板には、非接触ＩＣメディアに対して情報の読み取りおよび書き込みを行うための無線回路が形成されるとともに、非接触ＩＣメディアの読み取り時に中央演算処理装置（ＣＰＵ）で認識可能な信号に変換する復調回路と、非接触ＩＣメディアへの情報の書き込み時に非接触ＩＣメディアに記録可能な信号に変換する変調回路とを有する信号処理回路が形成される。ここで、ＣＰＵは、このアンテナ基板に固有のものであっても、また、非接触ＩＣメディアリーダライタ１に内蔵される他のものであってもよい。
【００１４】
上記構成の非接触ＩＣメディアリーダライタ１では、板状アンテナ部３が薄い板状に構成されているので、その表面３ａと裏面３ｂの両方から均等に電波が放射されるようになっている。すなわち、非接触ＩＣメディアが板状アンテナ部３の表面３ａ、裏面３ｂのどちら側にかざされた場合であっても、情報の読み取りおよび書き込みを行うことができる。
【００１５】
さらに、この非接触ＩＣメディアリーダライタ１では、板状アンテナ部３が所定範囲で回動可能に構成され、板状アンテナ部３の自由な角度調整が可能であるので、様々な角度からの非接触ＩＣメディアのかざし行為に対応することができる。
【００１６】
このような非接触ＩＣメディアリーダライタ１によれば、適当な角度調整により、利用者は、カード型の非接触ＩＣメディアであれば手に持ってかざす行為が行い易く、また、腕時計型の非接触ＩＣメディアであってもかざし行為が容易となる。
【００１７】
以下、本実施の形態の非接触ＩＣメディアリーダライタ１に対する各種非接触ＩＣメディアのかざし行為について説明する。
まず、非接触ＩＣメディアとして非接触ＩＣカードのかざし行為について説明する。図４は非接触ＩＣカードをかざす場合の説明図である。ここではカードケースなどから取り出された非接触ＩＣカード１０を、非接触ＩＣメディアリーダライタ１の板状アンテナ部３にかざす場合について説明する。
【００１８】
図４に示す非接触ＩＣメディアリーダライタ１は、板状アンテナ部３が図中水平方向となるように角度調整されている。このように調整された非接触ＩＣメディアリーダライタ１において、例えば利用者によって非接触ＩＣカード１０自身の隅が手で持たれた状態で、板状アンテナ部３の表面３ａにかざされたような場合にあっては、利用者にとって非接触ＩＣカード１０を略水平状態で表面３ａに対向させることは困難でないために、そのかざし行為が容易に行われる。したがって、非接触ＩＣカード１０をかざしても情報の読み取りおよび書き込みが行われないといった、非接触ＩＣカード１０と非接触ＩＣメディアリーダライタ１との間の通信不良を回避することができるようになる。
【００１９】
また、図４に示した非接触ＩＣメディアリーダライタ１においては、非接触ＩＣカード１０が裏面３ｂにかざされた場合であっても、非接触ＩＣカード１０と非接触ＩＣメディアリーダライタ１とを通信させることができる。利用者によっては、非接触ＩＣメディアリーダライタ１の設置場所が多少高く感じられる場合などもあり得、このような場合にも、板状アンテナ部３の角度を適当に調整することなく、円滑に非接触ＩＣカード１０と非接触ＩＣメディアリーダライタ１とを通信させることが可能である。
【００２０】
図５は非接触ＩＣカードの入ったカードケースを板状アンテナ部にかざす場合の説明図である。各種情報が記録されている非接触ＩＣカードが、カードケース１１などに入れられたまま非接触ＩＣメディアリーダライタ１で使用される場合には、例えば、利用者によってそのカードケース１１が手で鷲掴みにされたような状況での使用が想定される。
【００２１】
この場合、図５に示すように、非接触ＩＣメディアリーダライタ１の板状アンテナ部３は水平方向から図中下方に倒して角度調整される。これにより、非接触ＩＣカードが入っているカードケース１１のような場合であっても、板状アンテナ部３は利用者にとってその表面３ａにかざし易い状態にあり、カードケース１１に入っている非接触ＩＣカードと非接触ＩＣメディアリーダライタ１との間の通信不良を回避することができるようになる。
【００２２】
次に、腕時計型の非接触ＩＣメディアのかざし行為について説明する。図６は腕時計型非接触ＩＣメディアを板状アンテナ部にかざす場合の説明図である。図６に示す非接触ＩＣメディアリーダライタ１は、板状アンテナ部３が図中水平方向となるように角度調整されている。
【００２３】
利用者が身に付けている腕時計型非接触ＩＣメディア２０が板状アンテナ部３の裏面３ｂにかざされる場合、利用者は、そのかざし行為のために無理な姿勢をとることなく非接触ＩＣメディアリーダライタ１との通信が可能である。
【００２４】
図７は腕時計型非接触ＩＣメディアを板状アンテナ部にかざす他の場合の説明図である。図７に示す非接触ＩＣメディアリーダライタ１は、板状アンテナ部３が図中垂直方向となるように角度調整されている。
【００２５】
この場合、腕時計型非接触ＩＣメディア２０を身に付けた利用者が腕を９０度折り曲げた状態で、腕時計型非接触ＩＣメディア２０が板状アンテナ部３の表面３ａにかざされることにより、非接触ＩＣメディアリーダライタ１との通信が可能になる。
【００２６】
このような腕時計型非接触ＩＣメディア２０は、通常、利用者の右腕または左腕のどちらか一方に身に付けられている。したがって、従来のようにアンテナ部が固定配置されている非接触ＩＣメディアリーダライタでは、アンテナ部に対して腕時計型非接触ＩＣメディア２０の向きが逆になってしまう場合が発生する。しかし、上記の構成の非接触ＩＣメディアリーダライタ１では、利用者がどちらの腕に身に付けている場合であっても対応することが可能である。
【００２７】
本実施の形態の非接触ＩＣメディアリーダライタ１によれば、表面３ａと裏面３ｂを共に有効にアンテナとして利用することのできる板状アンテナ部３が設けられ、その板状アンテナ部３を角度調整可能とすることにより、非接触ＩＣメディアの形状やかざされる向き、あるいは非接触ＩＣメディアリーダライタ１が設置される環境の違いなどに対応することができる。
【００２８】
また、本実施の形態の非接触ＩＣメディアリーダライタ１では、種々の形状の非接触ＩＣメディアが混在して使用されるような環境においても、それぞれの非接触ＩＣメディアと板状アンテナ部３とを容易に略平行状態で対向させることが可能であり、非接触ＩＣカードと非接触ＩＣメディアリーダライタ１との間の安定した通信が可能となる。
【００２９】
【発明の効果】
以上説明したように、本発明では、非接触ＩＣメディアリーダライタに、板状に構成された板状アンテナ部を設け、この板状アンテナ部がいずれの面に対してかざされる非接触ＩＣメディアとも通信することができるようにした。これにより、非接触ＩＣメディアの形状やかざされる向き、あるいは非接触ＩＣメディアリーダライタ１の設置環境などに対応することができる。したがって、非接触ＩＣメディアと非接触ＩＣメディアリーダライタとの間の通信不良を回避することができるようになる。
【００３０】
また、板状アンテナ部を回動させて任意の位置に固定することができるようにすることで、より多種類の非接触ＩＣメディアを使用することが可能となる。
【図面の簡単な説明】
【図１】非接触ＩＣメディアリーダライタの側面図である。
【図２】非接触ＩＣメディアリーダライタの正面図である。
【図３】非接触ＩＣメディアリーダライタの平面図である。
【図４】非接触ＩＣカードをかざす場合の説明図である。
【図５】非接触ＩＣカードの入ったカードケースを板状アンテナ部にかざす場合の説明図である。
【図６】腕時計型非接触ＩＣメディアを板状アンテナ部にかざす場合の説明図である。
【図７】腕時計型非接触ＩＣメディアを板状アンテナ部にかざす他の場合の説明図である。
【符号の説明】
１  非接触ＩＣメディアリーダライタ
２  本体
３  板状アンテナ部
３ａ  表面
３ｂ  裏面
４  表示部
【図１】
0003807286.tif 000002
【図２】
0003807286.tif 000003
【図３】
0003807286.tif 000004
【図４】
0003807286.tif 000005
【図５】
0003807286.tif 000006
【図６】
0003807286.tif 000007
【図７】
0003807286.tif 000008